(57)【要約】【課題】ばねが折損したとき、その衝撃でクリップ片及びばねの破片が飛散することを防止して安全性の高いクリップを備えた被服用ハンガーを提供する。【解決手段】対向して配置された一対のクリップ片３ａと略Ｕ字形のばね４とを備えたクリップ３をハンガー本体２のアーム部２１に摺動可能に２個設けてクリップ間の幅を調節可能にするとともに、ばね４の弾性力により前記一対のクリップ片３ａの挟持部３３同士が押圧付勢するようにしたクリップを備えた被服用ハンガー１において、前記ハンガー本体２のアーム部２１の下端部近傍であって前記一対のクリップ片３ａの水平方向外周３８に、エラストマーにより形成するとともに前記一対のクリップ片３ａを締付ける弾性力を備えた環状の連結部材５ａを設けた。【選択図】図１
2015226570.tif 000002
【特許請求の範囲】
【請求項１】
対向して配置された一対のクリップ片と略Ｕ字形のばねとを備えたクリップをハンガー本体のアーム部に摺動可能に２個設けてクリップ間の幅を調節可能にするとともに、前記各クリップ片は、上方に該クリップ片を操作する操作部と、中間に前記ばねの端部と係合する係合部と、下方に被服を挟持する挟持部と、両側縁に前記ハンガー本体のアーム部と嵌合して該クリップ片を開閉する支点部とを備えており、前記係合部に前記ばねの端部を係合させて前記ばねの弾性力により前記一対のクリップ片の挟持部同士が押圧付勢するようにしたクリップを備えた被服用ハンガーにおいて、
前記ハンガー本体のアーム部の下端部近傍であって前記一対のクリップ片の水平方向外周に、エラストマーにより形成するとともに前記一対のクリップ片を締付ける弾性力を備えた環状の連結部材を設けたことを特徴とするクリップを備えた被服用ハンガー。
【請求項２】
前記連結部材は断面が楕円状又は円状であり、前記一対のクリップ片の外周には前記連結部材のズレを防止するズレ防止手段を形成したことを特徴とする請求項１に記載のクリップを備えた被服用ハンガー。
【請求項３】
前記ズレ防止手段は、クリップ片の角部に形成した凹部又は側部に形成した突起部であることを特徴とする請求項２に記載のクリップを備えた被服用ハンガー。
【請求項４】
前記ばねを合成樹脂製とした請求項１〜３のいずれかに記載のクリップを備えた被服用ハンガー。
【発明の詳細な説明】
【技術分野】
【０００１】
本発明は、対向して配置された一対のクリップ片と略Ｕ字形のばねとを備えたクリップをハンガー本体のアーム部に摺動可能に２個設けてクリップ間の幅を調節可能にしたクリップを備えた被服用ハンガーに係り、特にばねが折れたとき、その衝撃でクリップ片及びばねの破片が飛散して手や顔などを傷つけることを防止するために、クリップ片等の飛散を防止できるクリップを備えた被服用ハンガーの技術に関するものである。
【背景技術】
【０００２】
一対のクリップ片とばねとを備えたクリップをハンガー本体のアーム部に摺動可能に２個設けてクリップ間の幅を調節可能にしたクリップを備えた被服用ハンガーは、色々な構造のものが知られている（例えば、特許文献１〜４参照）。
また、一対のクリップ片のうちの一方を、ハンガー本体の端部に一体に成形するとともに、前記一方のクリップ片と並列に折り曲げ可能な薄肉部材で連結して他方のクリップ片も同時に成形したクリップを備えた被服用ハンガーも知られている（例えば、特許文献５参照）。
【先行技術文献】
【特許文献】
【０００３】
【特許文献１】特開平８−２０５９８４号公報
【特許文献２】特開平１０−１４７号公報
【特許文献３】特開２０００−４１８２５号公報
【特許文献４】実用新案登録第３０６４７３７号公報
【特許文献５】特開２００６−６１３６５号公報
【発明の概要】
【発明が解決しようとする課題】
【０００４】
特許文献１〜４に記載の従来の技術は、ばねが折れたとき、その破片等が開口部から周囲に飛散することを防止して怪我を防止することができる構造としている。
しかしながら、ばねの弾性力により一対のクリップ片をハンガー本体のアーム部に摺動可能に組み付けている状態であるから、ばねが折れると、クリップ片がアームから分離して、ばねが折れた衝撃で、このクリップ片やこれとともにばねの破片が飛散して手や顔などを傷つけるおそれがあるという課題があった。
【０００５】
また、特許文献５に記載の従来の技術は、一対のクリップ片を連結することにより、特許文献１〜４に記載の従来の課題である、クリップ片やばねの破片の飛散を防止することはできる。
しかしながら、特許文献５に記載の従来の技術は、一対のクリップ片のうちの一方を、ハンガー本体の端部に一体に成形しており、前記特許文献１〜４に記載のクリップ間の幅を調節可能な被服用ハンガーには適用できないため、特許文献５の従来技術を考慮しても、特許文献１〜４の課題を解決することはできない。
【０００６】
本発明は、ハンガー本体のアーム部に摺動可能に設けたクリップ間の幅を調節可能にしたクリップを備えた被服用ハンガーにおいて、前記ハンガー本体のアーム部の下端部近傍であって一対のクリップ片の水平方向外周に、エラストマーにより形成するとともに前記一対のクリップ片を締付ける弾性力を備えた環状の連結部材を設けて、ばねが折れたとき、その衝撃でクリップ片及びばねの破片が飛散するという課題を解決することを目的としている。
【課題を解決するための手段】
【０００７】
請求項１に係る本発明は、対向して配置された一対のクリップ片と略Ｕ字形のばねとを備えたクリップをハンガー本体のアーム部に摺動可能に２個設けてクリップ間の幅を調節可能にするとともに、前記各クリップ片は、上方に該クリップ片を操作する操作部と、中間に前記ばねの端部と係合する係合部と、下方に被服を挟持する挟持部と、両側縁に前記ハンガー本体のアーム部と嵌合して該クリップ片を開閉する支点部とを備えており、前記係合部に前記ばねの端部を係合させて前記ばねの弾性力により前記一対のクリップ片の挟持部同士が押圧付勢するようにしたクリップを備えた被服用ハンガーにおいて、
前記ハンガー本体のアーム部の下端部近傍であって前記一対のクリップ片の水平方向外周に、エラストマーにより形成するとともに前記一対のクリップ片を締付ける弾性力を備えた環状の連結部材を設けたクリップを備えた被服用ハンガーである。
【０００８】
請求項２に係る本発明は、請求項１に係る本発明の構成に加え、前記連結部材は断面が楕円状又は円状であり、前記一対のクリップ片の外周には前記連結部材のズレを防止するズレ防止手段を形成したクリップを備えた被服用ハンガーである。
【０００９】
請求項３に係る本発明は、請求項２に係る本発明の構成に加え、前記ズレ防止手段は、クリップ片の角部に形成した凹部又は側部に形成した突起部としたクリップを備えた被服用ハンガーである。
【００１０】
請求項４に係る本発明は、請求項１〜３のいずれか係る本発明の構成に加え、前記ばねを合成樹脂製としたクリップを備えた被服用ハンガーである。
【発明の効果】
【００１１】
請求項１に係る本発明のクリップを備えた被服用ハンガーは、前記ハンガー本体のアーム部の下端部近傍であって前記一対のクリップ片の水平方向外周に、エラストマーにより形成するとともに前記一対のクリップ片を締付ける弾性力を備えた環状の連結部材を設けたから、仮にばねが折損したときでも、一対のクリップ片が連結部材により確実に連結されており、クリップ片及びばねの破片が周囲に飛散することを防止して安全性を向上させることができるのである。
【００１２】
請求項２に係る本発明のクリップを備えた被服用ハンガーは、請求項１に係る本発明のクリップを備えた被服用ハンガーの効果に加え、前記連結部材は断面が楕円状又は円状であり、前記一対のクリップ片の外周には前記連結部材のズレを防止するズレ防止手段を形成したから、連結部材の構造が簡単であり、一対のクリップ片への所定位置の保持を容易に行うことができるのである。
【００１３】
請求項３に係る本発明のクリップを備えた被服用ハンガーは、請求項２に係る本発明のクリップを備えた被服用ハンガーの効果に加え、前記ズレ防止手段は、クリップ片の角部に形成した凹部又は側部に形成した突起部であるから、ズレ防止手段を簡単な構造とすることができるのである。
【００１４】
請求項４に係る本発明のクリップを備えた被服用ハンガーは、請求項１〜３のいずれかに係る本発明のクリップを備えた被服用ハンガーの効果に加え、前記ばねを合成樹脂製としたから、検針用の金属探知機に反応しないものとすることができるのである。
【図面の簡単な説明】
【００１５】
【図１】本発明の第一の実施の形態に係るクリップを備えた被服用ハンガーの斜視図である。
【図２】本発明の第一の実施の形態に係るクリップを備えた被服用ハンガーの正面図である。
【図３】図２のＡ−Ａ線拡大断面図である。
【図４】図３におけるクリップの開いた状態を示す図である。
【図５】図２の右側面図である。
【図６】図１の一部を破断した右端部拡大図である。
【図７】本発明の第一〜第三の実施の形態に係る連結部材を示す拡大斜視図及びその断面図で、（ａ）及び（ｂ）は第一の実施の形態、（ｃ）及び（ｄ）は第二の実施の形態、（ｅ）及び（ｆ）は第三の実施の形態である。
【図８】本発明の第二及び第三の実施の形態に係るクリップを備えた被服用ハンガーを示す一部を破断した拡大図であって、第一の実施の形態における図１の一部を破断した右端部拡大図である図６に相当する図で、（ａ）は第二の実施の形態、（ｂ）は第三の実施の形態である。
【図９】本発明の第四の実施の形態に係るクリップを備えた被服用ハンガーの斜視図である。
【図１０】図９のクリップの部分における拡大縦断面図である。
【図１１】本発明の第五の実施の形態に係るクリップを備えた被服用ハンガーの斜視図である。
【図１２】図１１のクリップの部分における拡大縦断面図である。
【発明を実施するための形態】
【００１６】
以下、本発明の実施の形態に係るクリップを備えた被服用ハンガーを添付した図面を参照しながら詳細に説明する。
図１〜図７（ａ）、（ｂ）は、本発明の第一の実施の形態を示す図面であり、図１は斜視図、図２は正面図、図３は図２のＡ-Ａ線拡大断面図、図４は図３におけるクリップを開いた状態の図、図５は図２の右側面図、図６は図１の一部を破断した右端部拡大図、図７は連結部材を示す図である。
図７（ｃ）〜（ｆ）及び図８は、本発明の第二及び第三の実施の形態を示す図面であり、図７は連結部材を示す図、図８は図６に相当する図である。
図９及び図１０は第五の実施の形態を示す図面であり、図９は斜視図、図１０はクリップの部分における拡大縦断面図である。
図１１及び図１２は、第五の実施の形態を示す図面であり、図１１は斜視図、図１２はクリップの部分における拡大縦断面図である。
【００１７】
以下、図１〜図７（ａ）、（ｂ）に基づき、本発明の第一の実施の形態に係るクリップを備えた被服用ハンガーについて説明する。
１は、クリップを備えた被服用ハンガーであり、ハンガー本体２と、ハンガー本体２のアーム部２１に設けた２個のクリップ３とから構成している。
【００１８】
各クリップ３は、対向して配置された一対のクリップ片３ａと中間部分で折り返されて上下を逆にした略Ｕ字形のばね４と連結部材５とを備えており、該クリップ３をハンガー本体２のアーム部２１に摺動可能に２個設けてクリップ間の幅を調節可能にしている。
各クリップ片３ａは、上方にクリップ片３ａを押圧して操作する操作部３１と、中間内側にばね４の端部４１と係合する係合部３２（図３、図４参照）と、下方に被服を挟持する挟持部３３と、両側縁３４にハンガー本体２のアーム部２１と嵌合して該クリップ片３ａを開閉する支点部３５ａとを備えている。
【００１９】
ハンガー本体２は、前記クリップ片３ａと同様に、ポリプロピレンからなる合成樹脂製であり、水平に延びるアーム部２１と、アーム部２１の左右方向中間に立設した吊持用フック２２とを備えている。
ハンガー本体２のアーム部２１は、両端に上方に開口した長穴２３を形成するとともに、長穴２３と中央部２４との間における摺動用アーム部２１ａには、その上端に摺動用突条部２５と、中間にガイド用突条部２６とを形成している。
【００２０】
そして、前記一対のクリップ片３ａの両側縁３４に形成した支点部３５ａは、前記摺動用アーム部２１ａに形成した摺動用突条部２５と嵌合する半円状の切欠部としており、摺動可能で摺動用突条部２５を支点として一対のクリップ片３ａを開閉可能としている。
このように、２個のクリップ３は摺動用アーム部２１ａに形成された摺動用突条部２５ａの幅で左右に摺動することにより、各種サイズのスラックス、スカートなどの被服を挟持することができるようにしている。
【００２１】
また、摺動用アーム部２５に形成したガイド用突条部２６はクリップ３を摺動させる際にガイドの機能を発揮するように形成している。
なお、アーム部２１の下端と、中央部２４の上端と、吊持用フック２２の側縁とに、補強用突条部２７を形成している。
【００２２】
前記ばね４は、高密度カーボネイト樹脂を主体とする複合材料からなる合成樹脂製であり、対向して配置された一対のクリップ片３ａの係合部３２にばね４の端部４１（図３、図４参照）を係合させてばね４の弾性力により一対のクリップ片３ａの挟持部３３同士が押圧付勢するようにしている。
また、前記各クリップ片３ａには、図６に示すように、係合部３２を金型で成形する際の金型摺動用の窓孔３６と、窓孔３６の中央部に設けたばね４の破片の飛散を防止する飛散防止部３７と、補強片３８とを設けている。
【００２３】
以上のように構成されたクリップを備えた被服用ハンガー１は、ハンガー本体２、各一対のクリップ片３ａ、ばね４が全て合成樹脂製であるから、被服用ハンガー１に被服を挟持させた状態で検針用の金属探知機で検査することができるのである。
しかしながら、クリップを備えた被服用ハンガー１を使用するとき、仮に合成樹脂製のばね４が折り返し部分などで折損したとき、折れたばね４の衝撃でクリップ片３ａとばね４の破片とが飛散するおそれがある。
【００２４】
そこで、本発明では、折れたばね４の衝撃でクリップ片３ａとばね４の破片とが飛散しないように、以下に説明する連結部材５（５ａ、５ｂ、５ｃ）を設けたのである。
連結部材５は、材質がエラストマーであり、この実施の形態では、熱硬化性エラストマーであるニトリルゴムを用いている。
【００２５】
第一の実施の形態に係る連結部材５ａの具体的な構成は、図７（ａ）及び（ｂ）に示すように、荷重を作用させない自由状態で、長径５ｍｍ、短径３ｍｍ、全長４０ｍｍの断面が楕円状で環状に形成したものである。
そして、連結部材５ａは、図６に示すように、前記ハンガー本体２のアーム部２の下端部近傍であって前記一対のクリップ片３ａの水平方向外周に設けて、一対のクリップ片３ａを弾性力により締付けるように設けている。
【００２６】
前記連結部材５ａを配設する一対のクリップ片３ａの水平方向外周における４箇所の角部には、図６に示すように、クリップ３の開閉を繰り返したときに連結部材５ａのズレを防止する凹部３９ａをずれ防止手段として形成している。
連結部材５ａは、一対のクリップ片３ａを締付ける弾性力が生ずるように、１００％強の伸びを持った状態で、前記クリップ片３ａの水平方向外周における４箇所の角部に形成した凹部３９ａを通るように配設するのである。
【００２７】
連結部材５は、エラストマー製であるから、非常に大きな弾性変形が可能であり、図４に示す伸びが生じても連結部材５の耐久性を損なうことはない。
なお、クリップ３の挟持部３３の開閉状態をどのように設計し、連結部材５の伸張度合をどのように設計するかについては、クリップを備えた被服用ハンガー１の要求仕様に応じて適宜決定するのである。
【００２８】
次に、図７（ｃ）、（ｄ）及び図８（ａ）に基づき、本発明の第二の実施の形態に係るクリップを備えた被服用ハンガーについて、第一の実施の形態と相違する構成について説明する。
第二の実施の形態は、連結部材５ｂ及び凹部３９ｂを第一の実施の形態の連結部材５ａ及び凹部３９ａと異なる構成としたものである。
【００２９】
連結部材５ｂの具体的な構成は、図７（ｃ）及び（ｄ）に示すように、荷重を作用させない自由状態で、直径４ｍｍ、全長４０ｍｍの断面が円状で環状に形成したものである。
そして、図８（ａ）に示すように、連結部材５ｂは、一対のクリップ片３ａを締付ける弾性力が生ずるように、１００％強の伸びを持った状態で、前記クリップ片３ａの水平方向外周における４箇所の角部に形成した凹部３９ｂを通るように配設するのである。
【００３０】
次に、図７（ｅ）、（ｆ）及び図８（ｂ）に基づき、本発明の第三の実施の形態に係るクリップを備えた被服用ハンガーについて、第一の実施の形態と相違する構成について説明する。
第三の実施の形態は、連結部材５ｃ及び凹部３９ｃを第一の実施の形態の連結部材５ａ及び凹部３９ａと異なる構成としたものである。
【００３１】
連結部材５ｃの具体的な構成は、図７（ｅ）及び（ｆ）に示すように、荷重を作用させない自由状態で、長辺６ｍｍ、短辺２ｍｍ、全長４０ｍｍの断面が矩形状で環状に形成したものである。
そして、図８（ｂ）に示すように、連結部材５ｃは、一対のクリップ片３ａを締付ける弾性力が生ずるように、１００％強の伸びを持った状態で、前記クリップ片３ａの水平方向外周における４箇所の角部に形成した凹部３９ｃを通るように配設するのである。
【００３２】
次に、図９及び図１０に基づき、本発明の第四の実施の形態に係るクリップを備えた被服用ハンガーについて、第一の実施の形態と相違する構成について説明する。
第四の実施の形態は、ハンガー本体２のアーム部２１の摺動用アーム部２１ｂの形状及びクリップ片３ｂの支点部３５ｂの形状を、第一の実施の形態のアーム部２１の摺動用アーム部２１ａ及びクリップ片３ａの支点部３５ａと異なる構成としたものである。
【００３３】
第四の実施の形態では、摺動用アーム部２１ｂは縦断面を「士」字状に形成して、水平中央部に摺動ガイド用の上側突条部２８ａと、水平下端部に摺動ガイド用の下側突条部２８ｂと、両突条部２８ａ、２８ｂとの間に摺動用溝部２８を形成している。
そして、ハンガー本体２のアーム部２１と嵌合してクリップ片３ｂを開閉するためのクリップ片３ｂの両側縁３４に形成した支点部３５ｂは、前記摺動用アーム部２１ｂに形成した摺動用溝部２８と嵌合する突条部としており、摺動可能で摺動用溝部２８を支点として一対のクリップ片３ｂを開閉可能としている。
【００３４】
また、第四の実施の形態では、連結部材５については、第一〜第三の実施の形態と同様に、図７（ａ）〜（ｆ）に示す断面円状、断面楕円状、断面矩形状のいずれかを使用するのであり、図９及び図１０では、断面楕円状の連結部材５ａを図示している。
第四の実施の形態における他の構成については第一の実施の形態と同様であるので、説明を省略する。
【００３５】
次に、図１１及び図１２に基づき、本発明の第五の実施の形態に係るクリップを備えた被服用ハンガーについて、第一の実施の形態と相違する構成について説明する。
第五の実施の形態は、ハンガー本体６の形状及びクリップ片３ｃの支点部３５ｃの形状を、第一の実施の形態のハンガー本体２及びクリップ片３ａの支点部３５ａと異なる構成としたものである。
【００３６】
ハンガー本体６は、上方部に被服吊持杆６１と、下方部に２個のクリップ３を摺動可能に設けたアーム部６２とを備え、上着とスラックス又はスカートとを同時に吊下可能としたスーツの吊下に好適に構成している。
ハンガー本体６は、材質を実施の形態１と同様に、ポリプロピレンからなる合成樹脂製とし、前記被服吊持杆６１を中央から左右に先下がりに延びる円弧状に形成して、上着等が型崩れしない状態で吊下可能にしている。
【００３７】
また、ハンガー本体６の被服吊持杆６１の中央上部を上方に膨出させて被服吊持用フック６３を立設している。
前記アーム部６２は、その両端を上方に屈曲させた取付部６２ａにより前記吊持杆６１の両端に着脱可能に嵌め込んで取付け、中央水平部を断面円状に形成して摺動用アーム部６２ｂとしている。
【００３８】
前記一対のクリップ片３ｃの両側縁３４に形成した支点部３５ｃは、断面円形の前記摺動用アーム部６２ｂと嵌合する半円状の切欠部としており、摺動可能で摺動用アーム部６２ｂを支点として一対のクリップ片３ｃを開閉可能としている。
また、第五の実施の形態では、連結部材５については、第一〜第三の実施の形態と同様に、図７（ａ）〜（ｆ）に示す断面円状、断面楕円状、断面矩形状のいずれかを使用するのであり、図１１及び図１２では、断面楕円状の連結部材５ａを図示している。
【００３９】
第五の実施の形態における他の構成については第一の実施の形態と同様であるので、説明を省略する。
以上の実施の形態では、クリップのばねは合成樹脂製としたが、金属製であっても経時劣化が生じて折れることがあり、本発明を適用できることはもちろんである。
【００４０】
そして、金属製のばねを使用したクリップを備えた被服用ハンガーは、検針用の金属探知機で検査することができないので、検針については他の検査方法を採用するのである。
以上の実施の形態では、連結部材の断面を楕円状、円状、矩形状としたが、例えば、多角形状、半円状、半楕円状等の断面形状でもよい。
【００４１】
また、連結部材を一重の環状としたが、複数巻の環状としてもよく、連結部材を複数巻とする場合に、一つの環状の連結部材の長さを長く形成することにより折り返して複数巻としてもよく、複数の環状の連結部材を束ねた状態で複数巻としてもよい。
また、以上の実施の形態では、連結部材について、形状及び具体的数値を例示して説明したが、ばねが折れた際に、一対のクリップ片がばねの破片により飛散することを防止できる形状及び寸法となるように適宜設計することができる。
【００４２】
以上の実施の形態では、一対のクリップ片の外周に連結部材を配設する一対のクリップ片の角部に連結部材のズレ防止手段として凹部を形成したが、ズレ防止手段としてクリップ片の側部、例えば側縁に突起部を形成してもよい。
ズレ防止手段としての突起部は、連結部材をアーム部の下端部近傍に設けるのであるから、連結部材はアーム部により上方へのズレを阻止できるので、連結部材の下方側２箇所に設けるのである。
【００４３】
また、ズレ防止手段を設けなくてもクリップ片の外周とエラストマー製の連結部材との摩擦により、一対のクリップ片を開閉しても連結部材を装着した位置がずれることはほとんど生じないため、ズレ防止手段をなくすこともできる。
以上の実施の形態では、一対のクリップ片における連結部材を配設した外周はクリップを開くとクリップを閉じているときよりも大きくなるのであるが、連結部材を開く際に上方にずれる方向の力が働いてもアーム部で阻止され、また、クリップを閉じる際に連結部材を配設したクリップ片の外周は先細とはならないから、下方にずれる方向の力は働かない。
【００４４】
したがって、以上の実施の形態では、ズレ防止手段をなくしても、一対のクリップ片の開閉による連結部材の位置がずれることはほとんど生じない。
以上の実施の形態では、連結部材の材質としてニトリルゴムを用いたが、各種エラストマーを採用することができることはもちろんである。
【符号の説明】
【００４５】
１  被服用ハンガー
２、６  ハンガー本体
２１、６２  アーム部
３  クリップ
３ａ、３ｂ、３ｃ  クリップ片
３１  操作部
３２  係合部
３３  挟持部
３４  側縁
３５ａ、３５ｂ、３５ｃ  支点部
３９ａ、３９ｂ、３９ｃ  凹部
４  ばね
４１  ばねの端部
５、５ａ、５ｂ、５ｃ  連結部材
【図１】
2015226570.tif 000003
【図２】
2015226570.tif 000004
【図３】
2015226570.tif 000005
【図４】
2015226570.tif 000006
【図５】
2015226570.tif 000007
【図６】
2015226570.tif 000008
【図７】
2015226570.tif 000009
【図８】
2015226570.tif 000010
【図９】
2015226570.tif 000011
【図１０】
2015226570.tif 000012
【図１１】
2015226570.tif 000013
【図１２】
2015226570.tif 000014